(57)【要約】      （修正有）【課題】太陽電池パネルを屋根全体の外観を損なうことなく且つ安価に屋根面に取り付けることができる太陽電池パネル設置構造を提供すること。【解決手段】太陽電池パネル設置構造においては、建物の屋根面上に太陽電池パネル５を取り付けると共に、複数の屋根材（平瓦６）を前記太陽電池パネル５の周囲に位置させて縦横に前記屋根面上に並設している。しかも、太陽電池パネル設置構造においては、互いに平行な少なくとも一対のパネル支持レール４，４を縦方向又は横方向に間隔をおいて前記屋根面上に取り付け、前記太陽電池パネル５の縦方向両端又は横方向両端に位置する縁部を前記一対のパネル支持レール４，４にそれぞれ保持させている。更に、前記太陽電池パネル５の縦横の長さを前記屋根材（平瓦６）の縦横の長さと略同じか数倍に設定して、前記太陽電池パネル５と前記屋根材（平瓦６）の縁部を縦横において整列させている。【選択図】図２
2006125107.tif 000002
【特許請求の範囲】
【請求項１】
建物の屋根面上に太陽電池パネルを取り付けると共に、複数の屋根材を前記太陽電池パネルの周囲に位置させて縦横に前記屋根面上に並設した太陽電池パネル設置構造において、
互いに平行な少なくとも一対のパネル支持レールを縦方向又は横方向に間隔をおいて前記屋根面上に取り付け、前記太陽電池パネルの縦方向両端又は横方向両端に位置する縁部を前記一対のパネル支持レールにそれぞれ保持させると共に、前記太陽電池パネルの縦横の長さを前記屋根材の縦横の長さと略同じか数倍に設定して、前記太陽電池パネルと前記屋根材の縁部を縦横において整列させたことを特徴とする太陽電池パネル設置構造。
【請求項２】
前記パネル支持レールは長さが前記屋根材の縁部の長さと同じものから数倍のものを複数用意しておいて、これらの複数の異なる長さのパネル支持レールを組み合わせて前記太陽電池パネルを前記屋根面に取り付けたことを特徴とする請求項１に記載の太陽電池パネル設置構造。
【請求項３】
互いに対向して長手方向に延びるパネル保持溝を前記一対のパネル支持レールにそれぞれ設け、前記対向するパネル保持溝に前記太陽電池パネルの前記縁部をそれぞれ嵌合保持させたことを特徴とする請求項１又は２に記載の太陽電池パネル設置構造。
【請求項４】
前記パネル支持レールは横方向に向けられると共に縦方向に間隔をおいて複数本前記屋根面上に取り付けられ、前記パネル保持溝は前記各パネル支持レールに形成され且つ前記建物の棟側に開口させられた棟側開口パネル保持溝及び前記建物の軒側に開口させられた軒側開口パネル保持溝であるとともに、前記棟側開口パネル保持溝及び軒側開口パネル保持溝は上下に位置させられていることを特徴とする請求項３に記載の太陽電池パネル設置構造。
【発明の詳細な説明】
【技術分野】
【０００１】
この発明は、複数の屋根材及び太陽電池パネルを屋根面に設置する太陽電池パネル設置構造に関するものである。
【背景技術】
【０００２】
従来、太陽電池パネルを住宅等の建物の傾斜する屋根上に設置して、太陽エネルギーを利用することが行われている。この太陽電池パネルを屋根面に取り付ける方法としては、太陽電池パネルの長さに合わせた支持レールを複数設けて、この複数の支持レールを屋根面の傾斜方向に向けると共に傾斜方向と交差する横方向に等ピッチで配列した状態で屋根面に取り付け、この複数の支持レールに太陽電池パネルを取り付ける方法が知られている（例えば、特許文献１参照）。
【０００３】
また、太陽電池パネルを屋根面に取り付ける方法としては、太陽電池パネルを屋根面に所定の角度を付けて取り付けるようにするために、太陽電池パネルの上縁及び下縁に上方又は下方への折曲部を設けて、この折曲部を利用して太陽電池パネルを屋根面に取り付ける方法が知られている（例えば、特許文献２，３参照）。
【特許文献１】特許第３３０２６６３号公報
【特許文献２】特許第３１０８５７９号公報
【特許文献３】特許第３２５８９４２号公報
【発明の開示】
【発明が解決しようとする課題】
【０００４】
しかしながら、支持レールを用いて太陽電池パネルを屋根面に取り付ける方法では、屋根面に施工される瓦等の屋根材と太陽電池パネルの横方向の長さを合わせていないため、屋根材の施工箇所と太陽電池パネルの施工箇所で大きく外観が異なり、屋根全体の外観を損なうものであった。
【０００５】
しかも、屋根材と太陽電池パネルの横方向の長さが異なるため、屋根材と太陽電池パネルを横方向において合わせて接合することができず、屋根材と太陽電池パネルの合わさる部分は板金等で間仕切りする必要があった。
【０００６】
また、太陽電池パネルの上縁及び下縁に折曲部を設けた構造では、構造が複雑であると共に、高価になるという問題があった。
【０００７】
そこで、この発明は、太陽電池パネルを屋根全体の外観を損なうことなく且つ安価に屋根面に取り付けることができる太陽電池パネル設置構造を提供することを目的とするものである。
【課題を解決するための手段】
【０００８】
この目的を達成するため、請求項１の発明は、建物の屋根面上に太陽電池パネルを取り付けると共に、複数の屋根材を前記太陽電池パネルの周囲に位置させて縦横に前記屋根面上に並設した太陽電池パネル設置構造において、互いに平行な少なくとも一対のパネル支持レールを縦方向又は横方向に間隔をおいて前記屋根面上に取り付け、前記太陽電池パネルの縦方向両端又は横方向両端に位置する縁部を前記一対のパネル支持レールにそれぞれ保持させると共に、前記太陽電池パネルの縦横の長さを前記屋根材の縦横の長さと略同じか数倍に設定して、前記太陽電池パネルと前記屋根材の縁部を縦横において整列させた太陽電池パネル設置構造としたことを特徴とする。
【０００９】
また、請求項２の発明は、前記パネル支持レールは長さが前記屋根材の縁部の長さと同じものから数倍のものを複数用意しておいて、これらの複数の異なる長さのパネル支持レールを組み合わせて前記太陽電池パネルを前記屋根面に取り付けたことを特徴とする。
【００１０】
更に、請求項３の発明は、互いに対向して長手方向に延びるパネル保持溝を前記一対のパネル支持レールにそれぞれ設け、前記対向するパネル保持溝に前記太陽電池パネルの前記縁部をそれぞれ嵌合保持させことを特徴とする。
【００１１】
また、請求項４の発明は、前記パネル支持レールは横方向に向けられると共に縦方向に間隔をおいて複数本前記屋根面上に取り付けられ、前記パネル保持溝は前記各パネル支持レールに形成され且つ前記建物の棟側に開口させられた棟側開口パネル保持溝及び前記建物の軒側に開口させられた軒側開口パネル保持溝であるとともに、前記棟側開口パネル保持溝及び軒側開口パネル保持溝は上下に位置させられていることを特徴とする。
【発明の効果】
【００１２】
上述した請求項１の発明によれば、パネル支持レールを用いて太陽電池パネルを屋根面に取り付けているので、太陽電池パネルを安価に屋根面に取り付けることができる。しかも、前記太陽電池パネルの縦横の長さを前記屋根材の縦横の長さと略同じか数倍に設定して、前記太陽電池パネルと前記屋根材の縁部を縦横において整列させているので、太陽電池パネルを屋根全体の外観を損なうことなく屋根面に取り付けることができる。
【００１３】
また、請求項２の発明によれば、前記パネル支持レールは長さが前記屋根材の縁部の長さと同じものから数倍のものを複数用意しておいて、これらの複数の異なる長さのパネル支持レールを組み合わせて前記太陽電池パネルを前記屋根面に取り付けるようにしているので、屋根面にパネル支持レールを取り付ける施工時においてパネル支持レールのカット作業を無くすことができる。
【００１４】
更に、請求項３の発明によれば、パネル支持レールに設けたパネル保持溝に太陽電池パネルの縁部を嵌合保持させているので、太陽電池パネルを簡易に取り付けることができる。
【００１５】
また、請求項４の発明によれば、前記棟側開口パネル保持溝及び軒側開口パネル保持溝の上下位置を予め屋根材の棟側及び軒側の取り付け高さに調整しておくことで、太陽電池パネルを屋根面に対して屋根材と同じ角度で取り付けることができるので、太陽電池パネルを屋根全体の外観を損なうことなく屋根面に取り付けることができる。
【発明を実施するための最良の形態】
【００１６】
以下、この発明の実施の形態を図面に基づいて説明する。
【００１７】
図１において、１は住宅等の建物、２は建物１の屋根である。この屋根２は、図４，図７に示した傾斜する野地板３と、図４，図５に示したように野地板３上に配設された複数のパネル支持レール４及び複数の太陽電池パネル５を有する。この太陽電池パネル５の上縁部及び下縁部には図５に示したように上下縁部及び端面に跨る断面コ字状のシール材５ａ，５ｂがそれぞれ取り付けられている。
【００１８】
また、屋根２は、野地板３の屋根面３ａ上に図７の様に配設された屋根材としての平瓦（図１，図６参照）６を有する。
【００１９】
そして、複数の平瓦６は、図６に示したように縦横に配列されていると共に、横方向に
おいてずれた状態で配列されている。しかも、縦方向に配列された複数の平瓦６は、上縁部に上側の平瓦６の下縁部が載せられ、且つ下縁部が下側の平瓦６の上縁部上に載せられている。これにより、平瓦６は野地板３の屋根面３ａに対して所定角度αを為している。この状態で各平瓦６は野地板３上に取り付けられている。
【００２０】
尚、図示は省略したが野地板３上には防水下地材が設けられる。また、複数のパネル支持レール４は、横方向に向けて配設されていると共に、縦方向（野地板３の傾斜方向）に間隔をおいて配設されている。
【００２１】
パネル支持レール４は、図５に示したように、野地板３上に図示しない木ねじ又は釘等の固定手段で固定されたベース板部４ａと、このベース板部４ａの幅方向中央から鉛直方向に向けて上方に突出する起立板部４ｂと、この起立板部４ｂの中間部の一側面に突設された上下一対の保持板部４ｃ，４ｄを有する。尚、ベース板部４ａと起立板部４ｂは予め傾斜した状態で形成されている。
【００２２】
この起立板部４ｂ及び保持板部４ｃ，４ｄはベース板部４ａの両端まで延びている。そして、保持板部４ｃ，４ｄ間には、軒側に向けて開口し且つ保持板部４ｃ，４ｄの長手方向両端まで延びるパネル保持溝（軒側開口パネル保持溝）７が形成されている。
【００２３】
また、パネル支持レール４は、起立板部４ｂの上端部に保持板部４ｃ，４ｄと同方向に向けて折曲することにより形成された保持板部４ｅと、保持板部４ｅの先端から上方に向けて折曲された当て板部４ｆと、当て板部４ｆの上端から保持板部４ｅとは反対側に向けて折曲された保持板部４ｇを有する。この保持板部４ｅ，４ｇ間には、棟側に向けて開口し且つ保持板部４ｅ，４ｇの両端まで延びるパネル保持溝（棟側開口パネル保持溝）８が形成されている。
【００２４】
このように各パネル支持レール４には、棟側に開口するパネル保持溝８及び軒側に開口するパネル保持溝７が上下に間隔を置いて形成されている。そして、パネル支持レール４，４間に配設された各太陽電池パネル５は、上縁部のシール材５ａが上側のパネル支持レール４のパネル保持溝７に長手方向にスライド調整可能に嵌合保持され、下縁部のシール材５ｂが下側のパネル支持レール４のパネル保持溝８に長手方向にスライド調整可能に嵌合保持されている。これにより、太陽電池パネル５は、屋根面３ａに対して所定角度αをなすようにパネル支持レール４，４に保持されている。
【００２５】
また、図８に示したように、パネル支持レール４，４の取り付けピッチ（野地板３の傾斜方向の取り付け間隔）ａは、平瓦６の縦方向（傾斜方向）の長さ（寸法）ｂと同じ長さに形成されている。しかも、パネル支持レール４，４の横方向の両端部間には、隣接する平瓦６が太陽電池パネル５に端部に傾斜方向で略一致するように配設されている。
【００２６】
従って、隣接する平瓦６と太陽電池パネル５の対向端部の合わせが容易で、この合わせ部の防水処理も容易となる。しかも、太陽電池パネル５の縦方向（屋根面３ａの傾斜方向）における外観を平瓦６の縦方向の外観に似せることができる。
【００２７】
この場合、平瓦（屋根材）６及び太陽電池パネル５の傾斜角度を同じ傾斜角度αにして、隣接する平瓦６及び太陽電池パネル５の対向端部同士を互いに化粧材を介して接合することにより、隣接する平瓦（屋根材）６及び太陽電池パネル５の対向端部同士の合わせ及び防水処理が容易となる。
【００２８】
しかも、平瓦６の傾斜方向の長さａと支持レール４，４の取り付けピッチを同じにして、横方向において隣接する平瓦６と太陽電池パネル５の側部同士を合わせることで、太陽
電池パネル５の外観と平瓦６の外観を更に似せることができる。
【００２９】
また、太陽電池パネル５の屋根面３ａに対する傾斜角度を平瓦６の屋根面３ａに対する傾斜角度と同じ所定角度αにすることで、太陽電池パネル５の外観と平瓦６の外観をより更に似せることができる。
【００３０】
尚、太陽電池パネル５の横行方向の長さ（寸法）は、平瓦６の横方向の長さ（寸法）の略２倍の長さに形成されている。
[変形例]
上述した実施例では、太陽電池パネル５の横方向の長さを平瓦６の横方向の長さの２倍とした例を示したが、必ずしもこれに限定されるものではない。例えば、図９に示したように太陽電池パネル５の横方向の長さは、平瓦６の横方向の長さと同じ長さ又は２倍の長さに形成しても良いし、また３倍以上の長さに形成することもできる。この場合、屋根材としての平瓦６と太陽電池パネル５の横方向の端部を化粧材で覆うことで、横方向についても平瓦（屋根材）６に近い外観にできる。
【００３１】
また、端部防水処理の為、平瓦（屋根材）６との嵌合部より太陽電池パネル５側に端部を持ってくる場合には、支持レール４の全長をその分短くする。
【００３２】
更に、パネル支持レール４の長さは、平瓦６の横方向の長さと同じものから数倍の長さのものを複数用意しておくことで、特に２倍，４倍等偶数倍の長さのものを複数用意しておくことで、太陽電池パネル５を屋根面３ａに取り付ける施工時に、パネル支持レール４のカット作業を無くすことができる。
【００３３】
以上説明したように、この発明の実施の形態の太陽電池パネル設置構造においては、建物１の屋根面３ａ上に太陽電池パネル５を取り付けると共に、複数の屋根材（平瓦６）を前記太陽電池パネル５の周囲に位置させて縦横に前記屋根面３ａ上に並設している。しかも、太陽電池パネル設置構造においては、互いに平行な少なくとも一対のパネル支持レール４，４を縦方向又は横方向に間隔をおいて前記屋根面３ａ上に取り付け、前記太陽電池パネル５の縦方向両端又は横方向両端に位置する縁部を前記一対のパネル支持レール４，４にそれぞれ保持させている。更に、前記太陽電池パネル５の縦横の長さを前記屋根材（平瓦６）の縦横の長さと略同じか数倍に設定して、前記太陽電池パネル５と前記屋根材（平瓦６）の縁部を縦横において整列させている。
【００３４】
尚、上述した実施例では複数のパネル支持レール４を横方向に向けると共に縦方向に等ピッチ（平瓦６の縦方向寸法に略一致）で配列しているが、パネル支持レール４を縦方向に向けると共に横方向に等ピッチ（平瓦６の横方向寸法に略一致）で配列することもできる。
【００３５】
このような構成によれば、パネル支持レール４を用いて太陽電池パネル５を屋根面３ａに取り付けているので、太陽電池パネル５を安価に屋根面３ａに取り付けることができる。しかも、前記太陽電池パネル５の縦横の長さを前記屋根材（平瓦６）の縦横の長さと略同じか数倍に設定して、前記太陽電池パネル５と前記屋根材（平瓦６）の縁部を縦横において整列させているので、太陽電池パネル５を屋根全体の外観を損なうことなく屋根面３ａに取り付けることができる。
【００３６】
また、この発明の実施の形態の太陽電池パネル設置構造においては、前記パネル支持レール４は長さが前記屋根材（平瓦６）の縁部の長さと同じものから数倍のものを複数用意しておいて、これらの複数の異なる長さのパネル支持レール４を組み合わせて前記太陽電池パネルを前記屋根面に取り付けている。
【００３７】
この構成によれば、前記パネル支持レール４は長さが前記屋根材（平瓦６）の縁部の長さと同じものから数倍のものを複数用意しておいて、これらの複数の異なる長さのパネル支持レール４を組み合わせて前記太陽電池パネル５を前記屋根面３ａに取り付けるようにしているので、屋根面３ａにパネル支持レール４を取り付ける施工時においてパネル支持レールのカット作業を無くすことができる。
【００３８】
更に、この発明の実施の形態の太陽電池パネル設置構造においては、互いに対向して長手方向に延びるパネル保持溝７，８を前記一対のパネル支持レール４，４にそれぞれ設け、前記対向するパネル保持溝７，８に前記太陽電池パネル５の前記縁部をそれぞれ嵌合保持させている。
【００３９】
この構成によれば、パネル支持レール４，４に設けたパネル保持溝７，８に太陽電池パネル５の縁部を嵌合保持させているので、太陽電池パネル５を簡易に取り付けることができる。
【００４０】
また、この発明の実施の形態の太陽電池パネル設置構造においては、前記パネル支持レール４は横方向に向けられると共に縦方向に間隔をおいて複数本前記屋根面３ａ上に取り付けられ、前記パネル保持溝７，８は前記各パネル支持レール４に形成され且つ前記建物１の棟側に開口させられた棟側開口パネル保持溝（パネル保持溝８）及び前記建物１の軒側に開口させられた軒側開口パネル保持溝（パネル保持溝７）であるとともに、前記棟側開口パネル保持溝（パネル保持溝８）及び軒側開口パネル保持溝（パネル保持溝７）は上下に位置させられている。
【００４１】
この構成によれば、前記棟側開口パネル保持溝（パネル保持溝８）及び軒側開口パネル保持溝（パネル保持溝７）の上下位置を予め屋根材（平瓦６）の棟側及び軒側の取り付け高さに調整しておくことで、太陽電池パネル５を屋根面３ａに対して屋根材（平瓦６）と同じ角度（α）で取り付けることができるので、太陽電池パネル５を屋根全体の外観を損なうことなく屋根面３ａに取り付けることができる。
【００４２】
以上、図面を参照して、本発明の実施の形態を詳述してきたが、具体的な構成は、この実施の形態に限らず、本発明の要旨を逸脱しない程度の設計的変更は、本発明に含まれる。
【図面の簡単な説明】
【００４３】
【図１】この発明に係る太陽電池パネル設置構造を有する建物の概略説明用の斜視図である。
【図２】図１の要部拡大図である。
【図３】図２に示したパネル支持レールと太陽電池パネルとの関係を示す斜視図である。
【図４】図２のＡ１−Ａ１線に沿う拡大模式図である。
【図５】図４の部分拡大図である。
【図６】図１の屋根材（平瓦）の部分拡大図である。
【図７】図６のＡ２−Ａ２線に沿う拡大模式図である。
【図８】図２の太陽電池パネルと屋根材（平瓦）の関係を示す説明図である。
【図９】この発明に係る太陽電池パネルと屋根材との関係の他の例を示す模式図である。
【符号の説明】
【００４４】
１…建物
３ａ…屋根面
４…パネル支持レール
５…太陽電池パネル
６…平瓦（屋根材）
７…パネル保持溝（軒側開口パネル保持溝）
８…パネル保持溝（棟側開口パネル保持溝）
【図１】
2006125107.tif 000003
【図２】
2006125107.tif 000004
【図３】
2006125107.tif 000005
【図４】
2006125107.tif 000006
【図５】
2006125107.tif 000007
【図６】
2006125107.tif 000008
【図７】
2006125107.tif 000009
【図８】
2006125107.tif 000010
【図９】
2006125107.tif 000011